(57)【要約】【課題】ＶＴＲから入力されて画像記憶再生装置内の画像メモリに記憶された単一の素材を、画像記憶再生装置において、対になる２つの素材としてファイルシステムによって管理し、その対になっている２つの素材のうちの任意の素材を容易に読み出せるようにする。【解決手段】マイクロコンピュータ１０は、ＶＴＲ３０から入力されて画像メモリ６に記憶された単一の素材を、第１の操作手段２２ｄ〜２２ｆによって指定された分割位置の前後の、対になる２つの素材としてファイルシステムで管理する。そして、この対になっている２つの素材の一方が第２の操作手段２２ｇ及び２３で指定されると、この対になっている２つの素材を画像メモリ６から同時に読み出させる。【選択図】図１
2009005003.tif 000002
【特許請求の範囲】
【請求項１】
複数フレーム分の画像データの記憶容量を有する画像メモリと、
マイクロコンピュータと、
前記マイクロコンピュータによって制御され、前記画像メモリへの画像データの書き込みと前記画像メモリからの画像データの読み出しとを行う読み書き回路であって、２つのポートを用いて２系統の画像データを同時に読み出し可能な読み書き回路と、
外部のテープ状記録媒体の再生機器から入力された画像データを、リファレンス信号に同期して、前記読み書き回路に書き込みのために供給する入力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記画像メモリからの読み出しを指示するための第２の操作手段
をさらに備え、
前記マイクロコンピュータは、前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから同時に読み出させる読み出し処理
を行う
ことを特徴とする画像記憶再生装置。
【請求項２】
請求項１に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として用いる
ことを特徴とする画像記憶再生装置。
【請求項３】
複数フレーム分の画像データの記憶容量を有する画像メモリと、
マイクロコンピュータと、
前記マイクロコンピュータによって制御され、前記画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから順次読み出させて前記出力回路から出力させる読み出し処理
を行う
ことを特徴とする画像記憶再生装置。
【請求項４】
請求項３に記載の画像記憶再生装置において、
前記制御部は、前記第２の操作手段の操作に応じて、
前記記録機器に記録開始コマンドを送る第１の処理と、
前記記録機器から前記リファレンス信号への同期状態の情報を受信し、前記記録機器が前記リファレンス信号に同期しているか否かを判断する第２の処理と
を行い、前記第２の処理において同期していない場合、前記第２の処理を繰り返し、
前記マイクロコンピュータは、前記読み出し処理において、前記制御部の前記第２の処理において同期していると判断された以降に、前記２つの素材を前記画像メモリから順次読み出させる
ことを特徴とする画像記憶再生装置。
【請求項５】
請求項３に記載の画像記憶再生装置において、
前記マイクロコンピュータは、前記読み出し処理において、前記２つの素材のうちの一方の素材の読み出しが終了した後、単色画像の画像データを一定のフレーム数の期間に亘って前記出力回路から出力させた後、残りの一方の素材を読み出させる
ことを特徴とする画像記憶再生装置。
【請求項６】
請求項３に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として用いる
ことを特徴とする画像記憶再生装置。
【請求項７】
複数フレーム分の画像データの記憶容量を有する画像メモリと、
マイクロコンピュータと、
前記マイクロコンピュータによって制御され、前記画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記ファイルシステムに登録した素材のうちの１つ以上を指定することにより、指定した素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された各素材に関するファイルの前記記憶位置情報に基づき、指定された各素材を前記画像メモリから順次読み出させて前記出力回路から出力させる読み出し処理
を行う
ことを特徴とする画像記憶再生装置。
【請求項８】
請求項７に記載の画像記憶再生装置において、
前記制御部は、前記第２の操作手段の操作に応じて、
前記記録機器に記録開始コマンドを送る第１の処理と、
前記記録機器から前記リファレンス信号への同期状態の情報を受信し、前記記録機器が前記リファレンス信号に同期しているか否かを判断する第２の処理と
を行い、前記第２の処理において同期していない場合、前記第２の処理を繰り返し、
前記マイクロコンピュータは、前記読み出し処理において、前記制御部の前記第２の処理において同期していると判断された以降に、指定された各ファイルに対応する素材を前記画像メモリから順次読み出させる
ことを特徴とする画像記憶再生装置。
【請求項９】
請求項７に記載の画像記憶再生装置において、
前記マイクロコンピュータは、前記読み出し処理において、１つの素材の読み出しが終了する毎に、画像記憶再生装置内部で生成した画像データを一定のフレーム数の期間に亘って前記出力回路から出力させた後、次の素材を読み出させる
ことを特徴とする画像記憶再生装置。
【請求項１０】
請求項７に記載の画像記憶再生装置において、
前記画像メモリに書き込まれている画像データのうち、前記記録機器に記録する素材と素材との間に挿入させる画像データを指定するための第３の操作手段
をさらに備え、
前記マイクロコンピュータは、前記読み出し処理において、１つの素材の読み出しが終了する毎に、前記第３の操作手段で指定された画像データを一定のフレーム数の期間に亘って前記画像メモリから読み出させた後、次の素材を読み出させる
ことを特徴とする画像記憶再生装置。
【請求項１１】
請求項７に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として用いる
ことを特徴とする画像記憶再生装置。
【発明の詳細な説明】
【技術分野】
【０００１】
本発明は、例えばテレビジョン放送用のスタジオ回路などに配置される画像記憶再生装置に関し、特に、ＶＴＲのようなテープ状記録媒体の再生機器で再生された画像データが入力されるものに関する。
【背景技術】
【０００２】
テレビジョン放送用のスタジオ回路の一つに、エフェクト・スイッチャーと呼ばれる画像特殊効果装置がある。エフェクト・スイッチャーは、入力した画像データからキーフィル信号及びキーソース信号を加工する処理や、加工したキーフィル信号及びキーソース信号を用いて背景映像に前景映像を合成する処理などを行う装置であり、加工・合成対象の画像データを画像メモリに一時的に記憶するための画像記憶再生装置が内部に配置されている。
【０００３】
このエフェクト・スイッチャー内の画像記憶再生装置で記憶して使用する画像素材は、ＶＴＲやビデオデッキのようなテープ状記録媒体の再生機器で再生されてエフェクト・スイッチャーに入力されることが多い。
【０００４】
また、テープ状記録媒体には、キーフィル信号として用いる複数フレーム分の画像データと、キーソース信号として用いる複数フレーム分の画像データとが、切れ目なく連続して記録されていることが少なくない。したがって、テープ状記録媒体の再生機器からは、キーフィル信号用の素材とキーソース信号用の素材とが、切れ目なく連続してエフェクト・スイッチャーに入力され、単一の素材として画像メモリに記憶されることが少なくない。
【０００５】
そのため、エフェクト・スイッチャーの側では、テープ状記録媒体の再生機器から入力されて画像メモリに記憶された単一の素材を、キーフィル信号用の素材と、キーソース信号用の素材とに分けて読み出すことが必要になる。
【０００６】
従来、ＶＴＲ間の編集の分野では、再生側のＶＴＲと記録側のＶＴＲとの間に画像データの一時記憶用の画像メモリを配置し、記録側ＶＴＲのタイムコード信号に対応するタイムコードとなるようにこの画像メモリを読み出し制御することによって調相を容易かつ確実にすることが提案されている（特許文献１参照）。
【０００７】
また、映像合成に関する技術としては、映像信号，キー信号及び制御信号の組を記録テープに記録・再生可能なＶＴＲも提案されている（特許文献２参照）。
【０００８】
【特許文献１】特開平３−７０２８２号公報
【特許文献２】特開平４−４０１７８号公報
【発明の開示】
【発明が解決しようとする課題】
【０００９】
上記特許文献１に記載の技術は、ＶＴＲで再生した画像データを他のＶＴＲに記憶する際のＶＴＲ同士の調相に関する技術である。これに対し、ＶＴＲ等のテープ状記録媒体の再生機器で再生された画像データを、エフェクト・スイッチャー内の画像記憶再生装置のような画像メモリを有する画像記憶再生装置で記憶した場合に、画像記憶再生装置の側で、テープ状記録媒体の再生機器から入力されて画像メモリに記憶された単一の素材を、キーフィル信号用の素材及びキーソース信号用の素材のような対になる２つの素材としてファイルシステムによって管理し、その対の素材のうちの任意の素材を容易に読み出し可能にする技術は未だ提案されていない。
【００１０】
また、上記特許文献２に記載のような特殊なＶＴＲは、高価になるとともに、現実には市場に存在していない。エフェクト・スイッチャーなどに素材を供給する機器としては、通常のＶＴＲを使用できるほうが便利且つ安価である。
【００１１】
本発明は、上述の点に鑑み、例えばエフェクト・スイッチャーのようなスタジオ回路に配置される画像記憶再生装置において、ＶＴＲ等のテープ状記録媒体の再生機器から入力されて画像メモリに記憶された単一の素材を、対になる２つの素材としてファイルシステムによって管理し、その対になっている２つの素材のうちの任意の素材を容易に読み出せるようにすることを課題とする。
【課題を解決するための手段】
【００１２】
上記課題を解決するために、本発明に係る第１の画像記憶再生装置は、
複数フレーム分の画像データの記憶容量を有する画像メモリと、
マイクロコンピュータと、
前記マイクロコンピュータによって制御され、前記画像メモリへの画像データの書き込みと前記画像メモリからの画像データの読み出しとを行う読み書き回路であって、２つのポートを用いて２系統の画像データを同時に読み出し可能な読み書き回路と、
外部のテープ状記録媒体の再生機器から入力された画像データを、リファレンス信号に同期して、前記読み書き回路に書き込みのために供給する入力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記画像メモリからの読み出しを指示するための第２の操作手段
をさらに備え、
前記マイクロコンピュータは、前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから同時に読み出させる読み出し処理
を行う
ことを特徴とする。
【００１３】
この画像記憶再生装置では、テープ状記録媒体の再生機器で再生された画像データが、マイクロコンピュータの制御のもとで、入力回路及び読み書き回路を介して画像メモリに書き込まれる。そして、このようにして書き込まれた複数フレーム分の画像データから成る素材に対して、２つの素材に分割する分割位置を指定するための第１の操作手段が設けられている。
【００１４】
マイクロコンピュータは、マイクロコンピュータ内のメモリにファイルシステムを構築し、画像メモリに書き込まれた素材について、画像メモリにおける記憶位置情報を含んだファイルをこのファイルシステムに作成する。そして、マイクロコンピュータは、第１の操作手段の操作に応じて、この作成したファイルから、指定された分割位置より前のフレームの順列から成る素材と前記分割位置より後ろのフレームの順列から成る素材との２つの素材として前記ファイルシステムに登録し直し、かつ該２つの素材が対になっていることを示す対情報を前記ファイルシステムのファイルに格納する。
【００１５】
さらに、この画像記憶再生装置には、このファイルシステム中のこの対になっている２つの素材のうちの一方を指定することにより、この対になっている２つの素材の画像メモリからの読み出しを指示するための第２の操作手段が設けられている。
【００１６】
マイクロコンピュータは、この第２の操作手段の操作に応じて、指定された素材を登録したファイルの記憶位置情報と、対情報によって示されている素材を登録したファイルの記憶位置情報とに基づき、読み書き回路を制御して、対になっている２つの素材を画像メモリから同時に読み出させる。
【００１７】
このようにして、テープ状記録媒体の再生機器から入力されて画像メモリに記憶された単一の素材を、操作者の分割操作によって対になる２つの素材としてファイルシステムによって管理し、その対になっている２つの素材を、ファイルシステム中のその２つの素材についてのファイルのうちの一方のみを指定するという簡単な操作によって同時に読み出すことができる。
【００１８】
次に、本発明に係る第２の画像記憶再生装置は、
複数フレーム分の画像データの記憶容量を有する画像メモリと、
マイクロコンピュータと、
前記マイクロコンピュータによって制御され、前記画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから順次読み出させて前記出力回路から出力させる読み出し処理
を行う
ことを特徴とする。
【００１９】
この画像記憶再生装置では、テープ状記録媒体の再生機器で再生された画像データが、マイクロコンピュータの制御のもとで、入力回路及び読み書き回路を介して画像メモリに書き込まれる。そして、このようにして書き込まれた複数フレーム分の画像データから成る素材に対して、２つの素材に分割する分割位置を指定するための第１の操作手段が設けられている。
【００２０】
マイクロコンピュータは、マイクロコンピュータ内のメモリにファイルシステムを構築し、画像メモリに書き込まれた素材について、画像メモリにおける記憶位置情報を含んだファイルをこのファイルシステムに作成する。そして、マイクロコンピュータは、第１の操作手段の操作に応じて、この作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する。
【００２１】
さらに、この画像記憶再生装置には、対になっている２つの素材の一方を指定することにより、この対になっている２つの素材を、出力回路からの画像データの出力先であるテープ状記録媒体の記録機器に記録することを指示するための第２の操作手段と、この記録機器を制御する制御部とが設けられている。
【００２２】
制御部は、この第２の操作手段の操作に応じて、この記録機器に記録開始コマンドを送る。
【００２３】
また、マイクロコンピュータは、この第２の操作手段の操作に応じて、指定された素材を登録したファイルの記憶位置情報と、対情報によって示されている素材を登録したファイルの記憶位置情報とに基づき、読み書き回路を制御して、対になっている２つの素材を画像メモリから順次読み出させ、この２つの素材を出力回路から出力させる。
【００２４】
このようにして、テープ状記録媒体の再生機器から入力されて画像メモリに記憶された単一の素材を、操作者の分割操作によって対になる２つの素材としてファイルシステムによって管理し、その対になっている２つの素材を、その２つの素材のうちの一方のみを指定するという簡単な操作によって順次読み出して、テープ状記録媒体の記録機器に記録することができる。
【００２５】
次に、本発明に係る第３の画像記憶再生装置は、
複数フレーム分の画像データの記憶容量を有する画像メモリと、
マイクロコンピュータと、
前記マイクロコンピュータによって制御され、前記画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記ファイルシステムに登録した素材のうちの１つ以上を指定することにより、指定した素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された各素材に関するファイルの前記記憶位置情報に基づき、指定された各素材を前記画像メモリから順次読み出させて前記出力回路から出力させる読み出し処理
を行う
ことを特徴とする。
【００２６】
この画像記憶再生装置では、テープ状記録媒体の再生機器で再生された画像データが、マイクロコンピュータの制御のもとで、入力回路及び読み書き回路を介して画像メモリに書き込まれる。そして、このようにして書き込まれた複数フレーム分の画像データから成る素材に対して、２つの素材に分割する分割位置を指定するための第１の操作手段が設けられている。
【００２７】
マイクロコンピュータは、マイクロコンピュータ内のメモリにファイルシステムを構築し、画像メモリに書き込まれた素材について、画像メモリにおける記憶位置情報を含んだファイルをこのファイルシステムに作成する。そして、マイクロコンピュータは、第１の操作手段の操作に応じて、この作成したファイルから、指定された分割位置より前のフレームの順列から成る素材と前記分割位置より後ろのフレームの順列から成る素材との２つの素材として前記ファイルシステムに登録し直し、かつ該２つの素材が対になっていることを示す対情報を前記ファイルシステムのファイルに格納する。
【００２８】
さらに、この画像記憶再生装置には、このファイルシステムに登録した素材のうちの１つ以上を指定することにより、指定した素材の前記記録機器への記録を指示するための第２の操作手段と、この記録機器を制御する制御部とが設けられている。
【００２９】
制御部は、この第２の操作手段の操作に応じて、この記録機器に記録開始コマンドを送る。
【００３０】
また、マイクロコンピュータは、この第２の操作手段の操作に応じて、指定された各素材に関するファイルの記憶位置情報に基づき、読み書き回路を制御して、指定された各素材を画像メモリから順次読み出させ、それらの素材を出力回路から出力させる。
【００３１】
このようにして、テープ状記録媒体の再生機器から入力されて画像メモリに記憶された単一の素材を、操作者の分割操作によって対になる２つの素材としてファイルシステムによって管理し、その対になっている２つの素材のうちの任意の一方または両方（さらに、対になっている２つの素材が複数組存在する場合には、各々の組についての一方または両方の素材）を、それらの素材を指定するという簡単な操作によって順次読み出して、テープ状記録媒体の記録機器に記録することができる。
【発明の効果】
【００３２】
本発明に係る画像記憶再生装置によれば、テープ状記録媒体の再生機器から入力されて画像メモリに記憶された単一の素材を、対になる２つの素材としてファイルシステムによって管理し、その対になっている２つの素材のうちの任意の素材を容易に読み出すことができるという効果が得られる。
【００３３】
より具体的には、本発明に係る第１の画像記憶再生装置によれば、テープ状記録媒体の再生機器から入力されて画像メモリに記憶された単一の素材を、操作者の分割操作によって対になる２つの素材としてファイルシステムによって管理し、その対になっている２つの素材を、その２つの素材のうちの一方のみを指定するという簡単な操作によって同時に読み出すことができるという効果が得られる。
【００３４】
また、本発明に係る第２の画像記憶再生装置によれば、テープ状記録媒体の再生機器から入力されて画像メモリに記憶された単一の素材を、操作者の分割操作によって対になる２つの素材としてファイルシステムによって管理し、その対になっている２つの素材を、一方のみを指定するという簡単な操作によって順次読み出して、テープ状記録媒体の記録機器に記録することができるという効果が得られる。
【００３５】
また、本発明に係る第３の画像記憶再生装置によれば、テープ状記録媒体の再生機器から入力されて画像メモリに記憶された単一の素材を、操作者の分割操作によって対になる２つの素材としてファイルシステムによって管理し、その対になっている２つの素材のうちの任意の一方または両方（さらに、対になっている２つの素材が複数組存在する場合には、各々の組についての一方または両方の素材）を、指定するという簡単な操作によって順次読み出して、テープ状記録媒体の記録機器に記録することができるという効果が得られる。
【発明を実施するための最良の形態】
【００３６】
以下、スタジオ回路の一種であるエフェクト・スイッチャーに配置される画像記憶再生部に本発明を適用した実施形態を、図面を用いて説明する。
〔エフェクト・スイッチャーの全体構成〕
図１は、本発明を適用した画像記憶再生部を配置したエフェクト・スイッチャーの全体構成例を示すブロック図である。このエフェクト・スイッチャーは、主ユニット１と操作卓２１とで構成されている。
【００３７】
主ユニット１には、外部の装置からＳＤＩ（Serial Digital Interface）規格の画像データを入力するための複数のＳＤＩ入力回路（入力回路に該当）２と、クロスポイント部３と、キー加工回路４と、合成回路５と、画像メモリ６と、メモリコントローラ７（読み書き回路に該当）と、制御Ｉ／Ｆ（インターフェース）８と、データＩ／Ｆ９と、マイクロコンピュータ１０と、ＳＤＩ出力回路（出力回路に該当）１１と、制御通信系１２と、ネットワークＩ／Ｆ１３とが設けられている。
【００３８】
ＳＤＩ入力回路２は、エフェクト・スイッチャーの外部から入力されるＳＤＩ（Serial Digital Interface）規格の画像データを、エフェクト・スイッチャーの外部から供給されるリファレンス信号Ｒｅｆに同期してリアルタイムにパラレル形式の画像データに変換する回路であり、複数の入力ポートを有している。
【００３９】
ＳＤＩ入力回路２には、ＶＴＲ，ビデオデッキ，テレビジョンカメラ等の様々な機器からＳＤＩ規格の画像データを入力させることができるが、ここでは、一例として、ＳＤＩ入力回路２の１つの入力ポートにはＶＴＲ３０から画像データが入力されるようになっている。このＶＴＲ３０にも、エフェクト・スイッチャーに供給されるのと同じリファレンス信号Ｒｅｆが供給される。
【００４０】
クロスポイント部３は、外部からＳＤＩ入力回路２に入力された画像データや、合成回路５やメモリコントローラ７から再入力される画像データの中から、合成回路５で背景映像として用いる画像データ（現在の背景映像と次の背景映像との２系統）や、キー加工回路４でキーイングのために用いる画像データ（前景映像であるキーフィル信号と、前景映像と背景映像との合成比率である濃度を示すキーソース信号との２系統）や、画像メモリ６への書き込みのためにメモリコントローラ７に供給する最大２系統の画像データや、ＳＤＩ出力回路１１から外部に出力させる画像データを選択するためのスイッチの集合である。
【００４１】
キー加工回路４は、クロスポイント部３で選択されたキーフィル信号及びキーソース信号を、各種のパラメータ（例えば、キーソース信号のどの映像成分を濃度とするかのパラメータや、キーソース信号の位置を調整するパラメータや、キーフィル信号及びキーソース信号の縮小率を調整するパラメータ等）に基づいて加工する回路である。
【００４２】
合成回路５は、クロスポイント部３に再入力させる画像データ主ユニット１の出力ライン０ｕｔから出力する背景映像を、クロスポイント部３で選択された現在の背景映像から、クロスポイント部３で選択された次の背景映像に遷移させる処理（トランジション）や、キー加工回路４からのキーフィル信号及びキーソース信号を用いて、背景映像に前景映像を合成する処理（キーイング）を行う回路である。
【００４３】
画像メモリ６は、複数フレーム分のＳＤＩ信号の記憶容量を有するメモリであり、揮発性メモリと不揮発性メモリとで構成されている。メモリコントローラ７は、画像メモリ６への画像データの書き込みと画像メモリ６からの画像データの読み出しとを行う回路であり、２つのポートを用いて最大２系統の画像データを同時に書き込んだり読み出すことができる。メモリコントローラ７によって画像メモリ６から読み出された画像データは、クロスポイント部３に再入力される。メモリコントローラ７は、制御Ｉ／Ｆ８を介してマイクロコンピュータ１０によって制御される。マイクロコンピュータ１０は主ユニット１全体を制御するが、本発明で重要なメモリコントローラ７の制御を中心に説明するため、他の制御接続は図示を省略している。
【００４４】
ＳＤＩ出力回路１１は、クロスポイント部３から供給された画像データを、前述のリファレンス信号Ｒｅｆに同期してリアルタイムにＳＤＩ規格のシリアル画像データに変換して外部に出力する回路であり、複数の出力ポートを有している。
【００４５】
ここでは、一例として、ＳＤＩ出力回路１１の１つの出力ポートからＶＴＲ３３に画像データが出力されるようになっている。このＶＴＲ３３にも、エフェクト・スイッチャーに供給されるのと同じリファレンス信号Ｒｅｆが供給される。また、ＳＤＩ出力回路１１の別の１つの出力ポートからは、モニター３４に画像データが出力されるようになっている。
【００４６】
制御通信系１２は、イーサネット（登録商標）・ポートまたはＲＳ４２２ポートであり、マイクロコンピュータ１０が操作卓２１との間で通信を行うために用いられる。
【００４７】
操作卓２１には、各種の操作を行うための操作部２２と、各種の表示が行われる表示部２３とが筐体表面に配置されているとともに、マイクロコンピュータ（制御部に該当）２４，制御通信系２５〜２７が設けられている。
【００４８】
制御通信系２５は、主ユニット１内の制御通信系１２と同一のものであり、マイクロコンピュータ２４が主ユニット１のマイクロコンピュータ１０との間で通信を行うために用いられる。
【００４９】
制御通信系２６は、ＶＴＲ３０に設けられている例えばＲＳ４２２ポートのような制御通信系（図示略）と同一のものであり、マイクロコンピュータ２４がＶＴＲ３０を制御するために用いられる。
【００５０】
制御通信系２７は、ＶＴＲ３３に設けられている例えばＲＳ４２２ポートのような制御通信系（図示略）と同一のものであり、マイクロコンピュータ２４がＶＴＲ３３を制御するために用いられる。
【００５１】
操作部２２には、図示は省略するが、表示部２３に表示されるセットアップ用の画面や操作用の画面を見ながら、エフェクト・スイッチャーのセットアップ（例えば、ＳＤ−ＳＤＩ規格の画像データ，ＨＤ−ＳＤＩ規格の画像データのうちのいずれをＳＤＩ入力回路２に入力させるかの設定や、キー加工回路４のパラメータの設定等）や操作（例えば、クロスポイント部３の切換や、合成回路５でのトランジションの種類の選択等）を行うための操作釦等が設けられている。
【００５２】
また、操作部２２には、表示部２３に表示されるＶＴＲ再生制御用の画面を見ながら、ＳＤＩ入力回路２に画像データを入力させるＶＴＲ（図１ではＶＴＲ３０）内の画像データのうち、画像メモリ６への記憶を開始させるフレームの画像データのタイムコードを指定するための記録開始タイムコード指定釦２２ａと、画像メモリ６に記憶させる画像データのフレーム数を指定するための記録フレーム数指定釦２２ｂと、ＶＴＲ内の画像データの画像メモリ６への記憶の終了を指示するための記録終了釦２２ｃとが設けられている。（ＶＴＲ再生制御用の画面としてＧＵＩ画面を表示する場合には、これらの専用の釦２２ａ〜２２ｃを設けることなく、操作部２２に設けられているポインティングデバイスであるトラックパッド２２ｇによってこれらの釦と同じ操作を行うことも可能である。）
【００５３】
さらに、操作部２２には、画像メモリ６に書き込まれた複数フレーム分の画像データから成る単一の素材に対して、キーフィル信号用の素材，キーソース信号用の素材という２つの素材に分割する分割位置を指定するための操作手段（第１の操作手段に該当）として、次の（ａ）〜（ｃ）のような釦等が設けられている。
（ａ）画像メモリ６に書き込まれた単一の素材中の任意のフレームの画像データを、先頭のフレームを０１：００：００：００としたフレーム番号で指定する（あるいは別の例としてタイムコードで指定するようにしてもよい）ことにより、そのフレームの画像データを静止画として画像メモリ６から読み出してモニター表示（図１ではモニター３４に表示）させるための静止画フレーム指定釦２２ｄ。
（ｂ）静止画フレーム指定釦２２ｄで指定したフレーム番号を１フレーム分ずつ前後にずらすことにより、静止画フレーム指定釦２２ｄで指定したフレームの前後のフレームの画像データを静止画として画像メモリ６から読み出してモニター表示させるための回転ノブ２２ｅ。
（ｃ）静止画フレーム指定釦２２ｄや回転ノブ２２ｅの操作によってモニター表示される画像データを確認した上で、２つの素材に分割する分割位置を最終的に指定するための分割位置指定釦２２ｆ。
【００５４】
さらに、操作部２２では、後述するように、表示部２３に表示される素材選択用のＧＵＩ画面（図１０〜図１２）を見ながら、画像メモリ６から読み出すキーフィル信号用の素材やキーソース信号用の素材をトラックパッド２２ｇで指定できるようになっている（これらのＧＵＩ画面及びトラックパッド２２ｇが第２の操作手段に該当する）。
【００５５】
〔画像メモリ６の使い方〕
図２は、主ユニット１内の画像メモリ６の使い方を示す図である。主ユニット１内マイクロコンピュータ１０は、画像メモリ６に書き込ませる画像データの画像フォーマット（ＳＤ−ＳＤＩであるかＨＤ−ＳＤＩであるか）に応じて、一定のバイト数Ｎｆを決定する。このバイト数Ｎｆは、前述の操作部２２での設定によってＳＤ−ＳＤＩ規格の画像データを入力させることが選択された場合には、ＳＤ−ＳＤＩ規格の１フレーム分の画像データ本体のサイズ（約１メガバイト）に決定され、他方、操作部２２での設定によってＨＤ−ＳＤＩ規格の画像データを入力させることが選択された場合にセットアップ処理によってＨＤ−ＳＤＩ信号を入力させることが選択された場合には、ＨＤ−ＳＤＩ規格の１フレーム分の画像データ本体のサイズ（約５メガバイト）に決定される。なお、画像フォーマットについては、ＳＤ−ＳＤＩであるかＨＤ−ＳＤＩであるかの二択に限らず、例えば下記の（ａ）〜（ｄ）のようなアクティブライン数やフレームレートやインターレース／プログレッシブの相違によって多数のフォーマットの中から選択可能にしてもよい。その場合には、それぞれのフォーマット毎に、このバイト数Ｎｆを変えるようにすればよい。
（ａ）４８０／５９．９４Ｈｚ（インターレース）
（ｂ）５７６／５０Ｈｚ（インターレース）
（ｃ）１０８０／５９．９４Ｈｚ（インターレース／プログレッシブ）
（ｄ）７２０／５０Ｈｚ（プログレッシブ）
【００５６】
そして、マイクロコンピュータ１０は、メモリコントローラ７を制御して、画像メモリ６を番地（アドレス）順にこのバイト数Ｎｆずつの複数の区分領域に分割して使用させ、各区分領域に１フレーム分ずつの画像データを書き込ませる。
【００５７】
画像メモリ６をこのように使用することにより、画像メモリ６のうちの先頭の番地をａ１とすると、ｉ番目の区分領域の先頭の番地はａ１＋（Ｎｆ×（ｉ−１））となるので、この番号ｉによって各フレームの画像データの記憶位置を識別することができる。以下では、この区分領域の番号ｉをレジスタ番号と呼ぶ。
【００５８】
マイクロコンピュータ１０は、画像メモリ６のバイト数Ｎｆ毎の区分領域のうち、現在画像データが記憶されていない区分領域のレジスタ番号を、線形リストによって管理する。画像メモリ６に全く画像データが記憶されていない状態では、全ての区分領域のレジスタ番号がこの線形リストで結合されている。その後、画像データを書き込ませた区分領域のレジスタ番号は、この線形リストから外す。また、画像データが書き込まれている区分領域から画像データを消去させた場合には、その区分領域のレジスタ番号を線形リストに再び追加する。画像メモリ６からは、どの番地に書き込まれた画像データも直ちに読み出すことができるので、この線形リストにおけるレジスタ番号の隣接順序が実際の番地の順序と異なっていても全く問題はない。なお、前述のように画像メモリ６には揮発性領域（揮発性メモリの部分）と不揮発性領域（不揮発性メモリの部分）とが存在しており、揮発性領域内の区分領域のレジスタ番号と不揮発性領域内の区分領域のレジスタ番号とは、別々の線形リストによって管理する。
【００５９】
〔ＶＴＲ再生制御・画像記憶・ファイル登録処理〕
主ユニット１のマイクロコンピュータ１０は、マイクロコンピュータ１０内のＲＡＭにファイルシステムを構築している。ファイルシステムは通常はディスク装置などで使用されるが、ＲＡＭをディスク装置と同様に看做してその上にファイルシステムを構築する（記憶する）こと自体は一般的に行われている。しかし、マイクロコンピュータ１０におけるファイルシステムの使い方には、画像メモリ６に記憶される画像データを管理するという特徴があるとともに、操作卓２１のマイクロコンピュータ２４によるＶＴＲの再生制御と関連している。
【００６０】
そのため、主ユニット１のマイクロコンピュータ１０と操作卓２１のマイクロコンピュータ２４とは、制御通信系１２及び２５を介して画像データのフィールド単位の精度（例えばＮＴＳＣの場合には約１／６０秒の精度）で通信を行いつつ、ＶＴＲ再生制御・画像記憶・ファイル登録処理を協同して実行する。以下、このＶＴＲ再生制御・画像記憶・ファイル登録処理を、図１のＶＴＲ３０を制御する場合を例にとって説明する。
【００６１】
図３は、ＶＴＲ再生制御・画像記憶・ファイル登録処理を示すフローチャートであり、各ステップ番号の後に、主ユニット１のマイクロコンピュータ１０，操作卓２１のマイクロコンピュータ２４のいずれによる処理であるかを区別するために「主ユニット」，「操作卓」の語を付している。
【００６２】
この処理では、最初に、操作卓２１のマイクロコンピュータ２４が、操作部２２の記録開始タイムコード指定釦２２ａ（図１）で指定された記憶開始フレームのタイムコードＴ１の情報を取得する（ステップＳ１）。
【００６３】
そして、マイクロコンピュータ２４が、プリロール時間をＴｐとして、タイムコードＴ１−Ｔｐからのキューアップコマンドと、再生開始コマンドとをＶＴＲ３０に順次送る（ステップＳ２，Ｓ３）。
【００６４】
続いて、マイクロコンピュータ２４が、ＶＴＲ３０から、現在再生中のフレームの画像データのタイムコードＴｃの通知と、ＶＴＲ３０がリファレンス信号Ｒｅｆに同期しているか否かを示す同期状態の情報Ｌｃとを受信し（ステップＳ４）、Ｔｃ＋１＝Ｔ１であるか否か（すなわち、現在再生中の画像データの次のフレームの画像データが、記録開始タイムコード指定釦２２ａで指定されたタイムコードに該当する画像データであるか否か）を判断する（ステップＳ５）。ノーであれば、ステップＳ４に戻ってステップＳ４及びＳ５を繰り返す。
【００６５】
ステップＳ５でイエスになると、マイクロコンピュータ２４が、ステップＳ４で受信した最新の同期状態の情報Ｌｃは同期していることを示すものであるか否かを判断する（ステップＳ６）。ノーであれば、マイクロコンピュータ２４が、ＶＴＲ３０に再生停止コマンドを送り（ステップＳ７）、その後ステップＳ２に戻ってステップＳ２〜Ｓ６を繰り返す。
【００６６】
ステップＳ６でイエスになると、主ユニット１のマイクロコンピュータ１０が、マイクロコンピュータ１０内のＲＡＭに構築しているファイルシステムに、素材ディレクトリ（Ｄ１とする）を作成し（ステップＳ８）、その後「素材記憶処理」に進む（ステップＳ９）。
【００６７】
図４は、この素材記憶処理を示すフローチャートである。最初に、ＶＴＲ３０からＳＤＩ入力回路２に入力された画像データがメモリコントローラ７に供給されるようにクロスポイント部３を制御し、且つ、画像メモリ６への書き込みを行うようにメモリコントローラ７を制御した上で、１フレーム分の画像データ（最初は、タイムコードＴｃ＋１に該当するフレームの画像データ）が画像メモリ６に書き込まれるまで待機する（ステップＳ１１）。なお、クロスポイント部３の制御は、最初にステップＳ１１を実行する際に一度行っておけばよく、その後は、ＶＴＲ３０からＳＤＩ入力回路２に入力された画像データがメモリコントローラ７に供給され続ける。また、画像メモリ６への画像データの書き込みは実時間で行われるので、それぞれのフレームの画像データが書き込まれたか否かの確認は、１フレームの時間が経過したか否かをリファレンス信号Ｒｅｆに基づいて判断すれば可能である。
【００６８】
そして、画像メモリ６に書き込まれたそのフレームの画像データを管理するフレーム管理情報（画像メモリ６におけるその画像データの記憶位置情報としての、図２に示したレジスタ番号を含む）を、素材ディレクトリＤ１内にファイルとして作成して記憶する（ステップＳ１２）。
【００６９】
続いて、操作卓２１のマイクロコンピュータ２４と通信を行うことにより、操作卓２１の操作部２２の記録フレーム数指定釦２２ｂ（図１）で指定されたフレーム数分の画像データについてステップＳ１２までの処理が完了したという条件と、操作卓２１の操作部２２の記録終了釦２２ｃが操作されたという条件とのうちのいずれかが満たされたか否かを判断する（ステップＳ１３）。なお、記録フレーム数指定釦２２ｂで指定されたフレーム数については、指定された時点で操作卓２１のマイクロコンピュータ２４からマイクロコンピュータ１０に送信しておけば、ステップＳ１３を実行する毎に通信を行う必要はない。また、記録終了ボタン２２ｃの操作については、操作された時点でマイクロコンピュータ２４から操作された旨の情報を主ユニット１のマイクロコンピュータ１０に送信しておき、マイクロコンピュータ１０は、割り込みタスクでその情報を受信・記憶して、ステップＳ１３の実行時にその記憶した情報を参照するというような方式も可能である。
【００７０】
いずれの条件も満たされていなければ、ステップＳ１１に戻ってステップＳ１１〜Ｓ１３を繰り返す。ステップＳ１３においていずれの条件が満たされると、素材ディレクトリＤ１内に、画像メモリ６に記憶された全てのフレームの画像データを一つの素材として管理する素材管理情報をファイルとして作成して記憶する（ステップＳ１４）。そして処理を終了する。
【００７１】
図３に示すように、主ユニット１のマイクロコンピュータ１０が素材記憶処理を終了すると、操作卓２１のマイクロコンピュータ２４が再生停止コマンドをＶＴＲ３０に送り（ステップＳ１０）、処理を終了する。
【００７２】
このＶＴＲ再生制御・画像記憶・ファイル登録処理によれば、操作卓２１のマイクロコンピュータ２４が、ＶＴＲ３０に再生コマンドを送った後、操作部２２で指定された記憶を開始すべきフレームのタイムコードでのＶＴＲ３０のリファレンス信号への同期の有無を確認し、同期していれば、主ユニット１のマイクロコンピュータ１０が、ＶＴＲ３０から再生されて入力された画像データを画像メモリ６に記憶させるとともに、画像メモリ６における画像データの記憶位置を示す記憶位置情報をファイルシステムにファイルとして登録する。他方同期していなければ、画像メモリ６への記憶及びファイルシステムへの登録は行われず、操作卓２１のマイクロコンピュータ２４が再度同じ処理を繰り返し、同期したときに初めて画像メモリ６への記憶及びファイルシステムへの登録が行われる。
【００７３】
すなわち、記憶を開始すべきフレームでＶＴＲ３０がリファレンス信号に同期していない場合、自動的にリトライし、同期したときに初めて画像メモリ６への記憶及びファイルシステムへの登録が行われる。
【００７４】
これにより、ＶＴＲ３０を制御して再生させた画像データを画像メモリ６に記憶するとともにファイルシステムによって管理することができ、且つ、ＶＴＲ３０のリファレンス信号への同期確認や同期失敗時の煩雑な操作を不要にして、ＶＴＲ３０がリファレンス信号に同期した状態で再生された画像データを、画像メモリ６に記憶させるとともにファイルシステムによって管理することができる。
【００７５】
〔素材分割・対素材化処理〕
【００７６】
ビデオテープには、キーフィル信号として用いる複数フレーム分の画像データと、キーソース信号として用いる複数フレーム分の画像データとが、切れ目なく連続して記録されていることが少なくない。したがって、図３に示したＶＴＲ再生制御・画像記憶・ファイル登録処理により、ＶＴＲ３０からは、キーフィル信号用の素材とキーソース信号用の素材とが、切れ目なく連続してエフェクト・スイッチャーに入力され、単一の素材として画像メモリ６に記憶されることが少なくない。
【００７７】
そのため、操作卓２１の操作部２２には、前述のように、画像メモリ６に記憶されたこの単一の素材に対して、キーフィル信号用の素材，キーソース信号用の素材という２つの素材に分割する分割位置を指定するための静止画フレーム指定釦２２ｄ，回転ノブ２２ｅ及び分割位置指定釦２２ｆ（図１）が設けられている。
【００７８】
主ユニット１のマイクロコンピュータ１０は、静止画フレーム指定釦２２ｄが操作されたり、その後回転ノブ２２ｅが操作されると、メモリコントローラ７を制御して、ＶＴＲ再生制御・画像記憶・ファイル登録処理によって画像メモリ６に記憶させた単一の素材のうちの、静止画フレーム指定釦２２ｄで指定されたフレームの画像データや、回転ノブ２２ｅで１フレーム分ずつ前後にずらされたフレームの画像データを、静止画として画像メモリ６から読み出させる。また、マイクロコンピュータ１０は、メモリコントローラ７からクロスポイント部３に再入力されるこの画像データがＳＤＩ出力回路１１からモニター３４に出力されるように、クロスポイント部３を制御する。
【００７９】
エフェクト・スイッチャーの操作者は、このようにしてモニター３４に表示される各フレームの画像データを見ることにより、この単一の素材をどのフレームでキーフィル信号用の素材とキーソース信号用の素材とに分割すればよいかを確認することができる。そして、静止画フレーム指定釦２２ｄや回転ノブ２２ｅの操作によって現在静止画として表示させているフレームを、分割位置指定釦２２ｆで分割位置として指定することができる。
【００８０】
図５及び図６は、この分割位置指定釦２２ｆの操作に応じて主ユニット１のマイクロコンピュータ１０が実行する素材分割・対素材化処理（図５が素材分割処理の部分、図６が対素材化処理の部分）を示すフローチャートである。
【００８１】
分割位置指定釦２２ｆが操作されると、図５の素材分割処理を開始する。この処理では、最初に、ＶＴＲ再生制御・画像記憶・ファイル登録処理によってファイルシステムに作成した前述の素材ディレクトリＤ１を、素材分割処理の対象として決定する（ステップＳ２１）。
【００８２】
続いて、静止画フレーム指定釦２２ｄ，回転ノブ２２ｅ及び分割位置指定釦２２ｆの操作によって指定された分割位置のフレーム番号（Ｆ１とする）を取得する（ステップＳ２２）。
【００８３】
そして、このファイルシステムに、素材ディレクトリＤ１とは別の素材ディレクトリ（Ｄ２とする）を作成する（ステップＳ２３）。
【００８４】
続いて、ＶＴＲ再生制御・画像記憶・ファイル登録処理のうちの図４のステップＳ１２で素材ディレクトリＤ１内に作成したフレーム管理情報ファイルのうち、フレーム番号Ｆ１以降の画像データについてのフレーム管理情報ファイルを素材ディレクトリＤ１から素材ディレクトリＤ２に移動させる。また、素材ディレクトリＤ２内に、フレーム番号Ｆ１以降の全てのフレームの画像データを一つの素材として管理する素材管理情報をファイルとして作成して記憶するとともに、ＶＴＲ再生制御・画像記憶・ファイル登録処理のうちの図４のステップＳ１４で素材ディレクトリＤ１内に作成した素材管理情報ファイルの内容を、フレーム番号Ｆ１よりも前のフレームの画像データのみを一つの素材として管理するように更新する（ステップＳ２４）。そして処理を終了する。
【００８５】
図５の素材分割処理を終了すると、引き続き図６の対素材化処理を開始する。この処理では、最初に、マイクロコンピュータ１０内のＲＡＭに構築しているファイルシステムから、図３のＶＴＲ再生制御・画像記憶・ファイル登録処理によって作成した素材ディレクトリＤ１と、図５の素材分割処理によって作成した素材ディレクトリＤ２とを特定する（ステップＳ３１）。
【００８６】
続いて、素材ディレクトリＤ１内の素材管理情報に、キーフィル信号用の素材であることと、素材ディレクトリＤ２内のファイルがこのキーフィル信号用の素材と対になっている素材についてのファイルであることとを示す対情報を格納する（ステップＳ３２）。
【００８７】
また、素材ディレクトリＤ２内の素材管理情報に、キーソース信号用の素材であることと、素材ディレクトリＤ１内のファイルがこのキーソース信号用の素材と対になっている素材についてのファイルであることとを示す対情報を格納する（ステップＳ３３）。そして処理を終了する。
【００８８】
図７は、この素材分割・対素材化処理の内容を概念的に例示する図である。例えば図７（ａ）に示すように、図３のＶＴＲ再生制御・画像記憶・ファイル登録処理により、フレーム数３００の画像データからなる単一の素材が画像メモリ６に記憶されており、静止画フレーム指定釦２２ｄや回転ノブ２２ｅの操作によってこのうちの１５１フレーム目の画像データをモニター３４（図１）に静止画として表示させているときに、分割位置指定釦２２ｆで分割位置を指定したとする。
【００８９】
すると、図５の素材分割処理により、ファイルシステムでの管理上、図７（ｂ）に示すように、この単一の素材が、１フレーム目から１５０フレーム目までの素材Ａと、１５１フレーム目から３００フレーム目までの素材Ｂとに分割して扱われる。
【００９０】
そして、図６の対素材化処理により、ファイルシステムでの管理上、この２つの素材Ａ及びＢが、互いに対になっている素材（キーフィル信号用の素材Ｖ及びキーソース信号用の素材Ｋ）として扱われる。
【００９１】
この素材分割・対素材化処理により、ＶＴＲ３０から入力されて画像メモリ６に記憶された単一の素材を、操作者の分割操作によって対になる２つの素材としてファイルシステムによって管理することができる。
【００９２】
〔ファイルシステムの内容〕
図８は、主ユニット１のマイクロコンピュータ１０内のＲＡＭに構築されたファイルシステムの内容を例示する図である。ディレクトリ“ ／Ｄｉｒ１”の下に、図３のＶＴＲ再生制御・画像記憶・ファイル登録処理によって素材ディレクトリＤ１が作成されている。
【００９３】
そして、この素材ディレクトリＤ１に、ＶＴＲ再生制御・画像記憶・ファイル登録処理によって作成された後図５及び図６の素材分割・対素材化処理によって一部移転されたり内容を更新されたフレーム管理情報ファイル及び素材管理情報ファイルが記憶されている。
【００９４】
また、このディレクトリ“ ／Ｄｉｒ１”の下に、図５の素材分割処理によって素材ディレクトリＤ２が作成されている。
【００９５】
そして、この素材ディレクトリＤ２に、素材分割・対素材化処理によって素材ディレクトリＤ１から一部移転されたり作成されたフレーム管理情報ファイル及び素材管理情報ファイルが記憶されている。
【００９６】
図８の下端には、フレーム管理情報ファイル及び素材管理情報ファイルの構造を示している。フレーム管理情報ファイルには、ファイル名と、図２に示したレジスタ番号と、その他のヘッダ情報（その画像データの画像フォーマット（ＳＤであるかＨＤであるか）や、その画像データのファイル形式や、その画像データを記憶した日時等の情報）とが格納される。
【００９７】
素材管理情報ファイルには、ファイル名（素材名）と、素材を構成している画像データのフレーム数と、その他の属性情報とが格納される。
【００９８】
素材ディレクトリＤ１内の素材管理情報ファイルには、この属性情報として、図６の対素材化処理のステップＳ３２による対情報（キーフィル信号用の素材であることを示す‘Ｖ’という情報と、素材ディレクトリＤ２内のファイルがこのキーフィル信号用の素材と対になっている素材についてのファイルであることを示す‘Ｐａｉｒ＝Ｄ２’という情報）が格納されている。
【００９９】
素材ディレクトリＤ２内の素材管理情報ファイルには、この属性情報として、図６の対素材化処理のステップＳ３３による対情報（キーソース信号用の素材であることを示す‘Ｋ’という情報と、素材ディレクトリＤ１内のファイルがこのキーソース信号用の素材と対になっている素材についてのファイルであることを示す‘Ｐａｉｒ＝Ｄ１’という情報）が格納されている。
【０１００】
属性情報としては、それ以外に、図３に示したＶＴＲ再生制御・画像記憶・ファイル登録処理により、素材の先頭フレームの画像データのタイムコードや、素材を記憶した日時等の情報も格納される。
【０１０１】
フレーム管理情報ファイル，素材管理情報ファイルは、ファイルの先頭にそれぞれＦ，Ｃという識別子を置くことによって互いに識別される。
【０１０２】
図８の例では、素材ディレクトリＤ１内の各フレーム管理情報ファイルのファイル名は、ｆ０１を接頭辞として、その後尾にフレーム番号を“０００１”，“０００２”，“０００３”…というように４桁の値に文字列化して付けることによって自動的に決定されている。素材管理情報ファイルのファイル名はＣｌｉｐ０１に決定されている。
【０１０３】
また、素材ディレクトリＤ２内の各フレーム管理情報ファイルのファイル名は、ｆ０２を接頭辞として、その後尾にフレーム番号を“０００１”，“０００２”，“０００３”…というように４桁の値に文字列化して付けることによって自動的に決定されている。素材管理情報ファイルのファイル名はＣｌｉｐ０２に決定されている。
【０１０４】
画像データを高速に読み書きするための比較的高価な画像メモリ６ではなく、マイクロコンピュータ１０内のＲＡＭにこうしたフレーム管理情報ファイル及び素材管理情報ファイルを記憶することにより、画像メモリ６の領域を無駄に使うことがないので、経済的な構成を実現することができる。
【０１０５】
なお、図８の例のように各フレーム管理情報ファイルのファイル名に“０００１”，“０００２”，“０００３”…というようなフレーム番号を付ける代わりに、各フレーム管理情報ファイルのファイル名をランダムに決定するとともに、各フレーム管理情報ファイルの順番（各フレーム管理情報ファイルで管理している画像データの再生順序）を示す情報を、素材管理情報ファイルに属性情報の一つとして格納するようにしてもよい。また、素材管理情報ファイルのファイル名（素材名）は、常に素材ディレクトリのディレクトリ名と一致させるように決定してもよい。
【０１０６】
図８の例では、ルートディレクトリの直下に単独のフレームの画像データについてのフレーム管理情報ファイル（ファイル名ｆｉｌｅ１）が記憶されており、ディレクトリ“ ／Ｄｉｒ１／Ｄｉｒ３”の下にも単独のフレームの画像データについてのフレーム管理情報ファイル（ファイル名ｐｉｃｔ３）が記憶されているが、こうした単独のフレームの画像データを画像メモリ６に記憶させる方法については、後で〔ネットワーク経由でのアクセス〕欄において説明する。
【０１０７】
また、前述のように、画像メモリ６には揮発性領域（揮発性メモリの部分）と不揮発性領域（不揮発性メモリの部分）とが存在する。揮発性領域に書き込まれた画像データはエフェクト・スイッチャーの電源が遮断されると消えてしまうが、不揮発性領域に書き込まれた画像データは、電源が遮断されても消えず、その後再び電源が投入されたときにも残っている。そのため、不揮発性領域に書き込まれた画像データは、このファイルシステムでも別に管理する必要がある。図１０においてルートディレクトリの直下に位置する”ＮＶＲＡＭ”というディレクトリは、この不揮発性領域に書き込まれた画像データを管理するために固定して設けられたディレクトリであり、外部からアクセスしても削除できないようにされている。
【０１０８】
マイクロコンピュータ１０は、このディレクトリ“ＮＶＲＡＭ”を指定して画像データの書き込みが要求された場合には、〔画像メモリ６の使い方〕欄において説明した線形リストのうちの不揮発性領域用の線形リストを用いて、画像メモリ６の不揮発性領域内の区分領域（図２）に画像データを書き込ませ、他方、ディレクトリ“ＮＶＲＡＭ”以外のディレクトリを指定して画像データの書き込みが要求された場合には、この線形リストのうちの揮発性領域用の線形リストを用いて、画像メモリ６の揮発性領域内の区分領域に画像データを書き込ませる。
【０１０９】
そして、マイクロコンピュータ１０は、ディレクトリ“ＮＶＲＡＭ”の内容は、電源遮断後も保存されるように、マイクロコンピュータ１０内の不揮発性メモリに配置するか、または、この不揮発性メモリにバックアップして電源投入時にこの不揮発性メモリからロードする。
【０１１０】
例えば、操作卓２１の操作部２２に、ディレクトリ“ＮＶＲＡＭ”を指定するか否かを選択する操作釦を設け、その操作釦でディレクトリ“ＮＶＲＡＭ”が指定された場合には、ＶＴＲ制御・画像記憶・ファイル登録処理においてディレクトリ“ＮＶＲＡＭ”の下に素材ディレクトリＤ１を作成するようにしてもよい。
【０１１１】
〔操作卓２１の操作による素材の読み出し〕
主ユニット１（図１）のマイクロコンピュータ１０は、マイクロコンピュータ１０内のＲＡＭに構築したファイルシステムの情報を、制御通信系１２及び２５を介して、操作卓２１（図１）のマイクロコンピュータ２４に送る。マイクロコンピュータ２４は、このファイルシステムを表示部２３に画面表示させる。
【０１１２】
図９は、図８に示したファイルシステムの表示部２３での表示例を示す図である。このうち、図９（ａ）では、対になっている２つの素材であるキーフィル信号用の素材とキーソース信号用の素材とを、Ｃｌｉｐ０１，Ｃｌｉｐ０２として分けて見せるように表示している。図９（ｂ）では、この２つの素材を、Ｃｌｉｐ０１として１つに見せるように表示している。
【０１１３】
操作卓２１の操作部２２の操作釦等には、表示部２３でファイルシステムの表示モードとして、この図９（ａ），図９（ｂ）のうちの任意のモードを選択するための釦も含まれている。
【０１１４】
なお、図９の例では素材中の個々のフレームについてのファイル（図８のフレーム管理情報ファイルに相当するもの）は表示していないが、個々のフレームについてのファイルを表示するモードも設けるようにしてもよい。
【０１１５】
まず、キー加工回路４へ供給するための、ＧＵＩと処理を説明する。操作卓２１において、ＧＵＩとトラックパッド２２ｇなどにより、素材の再生を指示する。図９（ａ）または図９（ｂ）のように画面表示されたファイルシステムを見て、操作部２２のトラックパッド２２ｇ（図１）で任意のディレクトリを指定すると、操作卓２１のマイクロコンピュータ２４は、その指定したディレクトリから読み出し対象の素材を選択するためのＧＵＩ画面を表示部２３に表示させる。
【０１１６】
図１０は、この素材選択用ＧＵＩ画面を示す図である。この素材選択用ＧＵＩ画面には、次の（ａ）〜（ｅ）のような領域や欄や釦が設けられている。
（ａ）選択可能な素材が、その素材を管理しているファイルのアイコンとして一覧表示されるアイコン列挙領域５１。
（ｂ）アイコン列挙領域５１での表示対象として、“クリップ”（複数フレーム分の画像データから成る素材），“フレーム画”（１フレーム分の画像データ）のうちの一方を選択するための表示対象選択欄５２。
（ｃ）表示対象選択欄５２でクリップを選択した場合に、対になっている２つの素材であるキーフィル信号用の素材及びキーソース信号用の素材のアイコン列挙領域５１での表示方法として、“ペアのみ表示”（２つの素材のうちの一方のみを表示し、一方を選択すると両方とも選択したものとして扱う），“シングル表示”（両方とも表示し、個別に選択可能にする）のうちの一方を選択するための表示モード選択欄５３。
（ｄ）メモリコントローラ７からの出力で、使用されるものを表示する。表示モード選択欄５３でペアのみ表示を選択した場合は、２系統を使う。
（ｅ）アイコン列挙領域５１での選択結果を確定するための選択釦５５。
【０１１７】
図１０には、図９（ａ）または図９（ｂ）のように画面表示されたファイルシステムからディレクトリ“ ／Ｄｉｒ１”を指定した場合であって、表示対象選択欄５２でクリップを選択し、表示モード選択欄５３でペアのみ表示を選択することを選択した状態を示している。
【０１１８】
この状態では、アイコン列挙領域５１には、ディレクトリ“ ／Ｄｉｒ１”の下に作成されている素材ディレクトリＤ１内のキーフィル信号用の素材についての素材管理情報ファイルＣｌｉｐ０１のアイコン６１が表示されている。また、例えばキー加工回路４に供給する場合にはキーフィル信号用の素材とキーソース信号用の素材とを同時に供給する必要があるので、出力選択欄５４には、画像メモリ６からキーフィル信号用の素材とキーソース信号用の素材とを同時に読み出すために用いられる２つのポートが“ＦＭ  ＯＵＴ１，２”と表示されている。
【０１１９】
この状態で、操作部２２のトラックパッド２２ｇ（図１）を操作してカーソル７１でアイコン列挙領域５１内のアイコン６１を指定し、その後カーソル７１で選択釦５５をクリックすると、主ユニット１のマイクロコンピュータ１０は、図１１に示すような対素材同時読み出し処理を実行する。
【０１２０】
この処理では、最初に、素材選択用ＧＵＩ画面での素材の選択結果（ここでは、図８の素材ディレクトリＤ１内の素材管理情報ファイルＣｌｉｐ０１が選択されたこと）を取得する（ステップＳ４１）。
【０１２１】
続いて、素材ディレクトリＤ１内の素材管理情報ファイルＣｌｉｐ０１の属性情報中の対情報（図８の‘Ｖ’及び‘Ｐａｉｒ＝Ｄ２’）を参照することにより、素材ディレクトリＤ１内のファイルがキーフィル信号用の素材についてのファイルであり、素材ディレクトリＤ２内のファイルが、このキーフィル信号用の素材と対になっているキーソース信号用の素材についてのファイルであることを確認する（ステップＳ４２）。
【０１２２】
そして、メモリコントローラ７を制御して、素材ディレクトリＤ１内のファイルに対応するキーフィル信号用の素材の先頭フレームから最終フレームと、素材ディレクトリＤ２内のファイルに対応するキーソース信号用の素材の先頭フレームから最終フレームとを、１フレーム期間毎に、画像メモリ６から２つのポートを用いて順次同時に読み出させる。この結果、メモリコントローラ７からクロスポイント部３に再入力される画像データを、キー加工回路４に供給可能になる（ステップＳ４３）。そして処理を終了する。
【０１２３】
このステップＳ４３では、より具体的には、マイクロコンピュータ１０は、素材ディレクトリＤ１，Ｄ２内の各フレーム管理情報ファイルから、それぞれファイル名の接頭辞の後尾のフレーム番号が若いフレーム管理情報ファイルの順にレジスタ番号を取得する。そして、１フレーム期間目には、メモリコントローラ７を制御して、画像メモリ６の区分領域（図２）のうち、素材ディレクトリＤ１内の最もフレーム番号が若いフレーム管理情報ファイルから取得したレジスタ番号の区分領域に記憶されている画像データ（例えばレジスタ番号が５のときはａ１＋（Ｎｆ×（５−１））番地からのＮｆバイトの画像データ）と、素材ディレクトリＤ２内の最もフレーム番号が若いフレーム管理情報ファイルから取得したレジスタ番号の区分領域に記憶されている画像データとを、同時に読み出させる。２フレーム期間目以降も、フレーム番号が２番目以降に若いフレーム管理情報ファイルから取得したレジスタ番号を用いて、同様な読み出し制御を繰り返す。
【０１２４】
操作者が図１０の状態の素材選択用ＧＵＩ画面でＣｌｉｐ０１を選択すると、こうした対素材同時読み出し処理が実行されることにより、素材ディレクトリＤ１，Ｄ２内のファイル（図８）によって管理されているキーフィル信号用の素材，キーソース信号用の素材が、画像メモリ６から同時に読み出され、キー加工回路４に供給して加工可能になる。
【０１２５】
このようにして、対になる２つの素材としてファイルシステムによって管理されているキーフィル信号用の素材，キーソース信号用の素材を、見かけ上のファイルシステム中のその２つの素材についてのファイルのうちの一方のみ（図１０の素材選択用ＧＵＩ画面のＣｌｉｐ０１）を指定するという簡単な操作により、画像メモリ６から同時に読み出してキー加工回路４に供給することができる。
【０１２６】
次に、ＶＴＲへの記録を行うための操作によるＧＵＩと処理を説明する。操作卓２１において、ＧＵＩとトラックパッド２２ｇなどにより、ＶＴＲへの記録を指示する。それに応じて、ＧＵＩに図９（ａ）または図９（ｂ）のように画面表示されるので、そのファイルシステムを見て、操作部２２のトラックパッド２２ｇ（図１）で任意のディレクトリを指定すると、操作卓２１のマイクロコンピュータ２４は、その指定したディレクトリから読み出し対象の素材を選択するための図１２のようなＧＵＩ画面を表示部２３に表示させる。
【０１２７】
ＶＴＲに記録する場合にはキーフィル信号用の素材とキーソース信号用の素材とをシーケンシャルに記録させることになるので、出力選択欄５４には、画像メモリ６からキーフィル信号用の素材とキーソース信号用の素材とを一方ずつ順番に読み出すために用いられる１つのポートが“ＦＭ  ＯＵＴ１”と表示されている。
【０１２８】
この状態で、カーソル７１でアイコン列挙領域５１内のアイコン６１を指定し、その後カーソル７１で選択釦５５をクリックする、主ユニット１のマイクロコンピュータ１０と操作卓２１のマイクロコンピュータ２４とが、制御通信系１２及び２５を介して画像データのフィールド単位の精度（例えばＮＴＳＣの場合には約１／６０秒の精度）で通信を行いつつ、ＶＴＲ対記録処理を協同して実行する。以下、このＶＴＲ対記録処理を、図１のＶＴＲ３３に素材を記録する場合を例にとって説明する。
【０１２９】
図１３は、ＶＴＲ対記録処理を示すフローチャートであり、各ステップ番号の後に、主ユニット１のマイクロコンピュータ１０，操作卓２１のマイクロコンピュータ２４のいずれによる処理であるかを区別するために「主ユニット」，「操作卓」の語を付している。
【０１３０】
この処理では、最初に、主ユニット１のマイクロコンピュータ１０が、素材選択用ＧＵＩ画面での素材の選択結果（ここでは、図８の素材ディレクトリＤ１内の素材管理情報ファイルＣｌｉｐ０１が選択されたこと）を取得する（ステップＳ５１）。
【０１３１】
続いて、マイクロコンピュータ１０が、素材ディレクトリＤ１内の素材管理情報ファイルＣｌｉｐ０１の属性情報中の対情報（図８の‘Ｖ’及び‘Ｐａｉｒ＝Ｄ２’）を参照することにより、素材ディレクトリＤ１内のファイルがキーフィル信号用の素材についてのファイルであり、素材ディレクトリＤ２内のファイルが、このキーフィル信号用の素材と対になっているキーソース信号用の素材についてのファイルであることを確認する（ステップＳ５２）。
【０１３２】
そして、マイクロコンピュータ１０が、素材ディレクトリＤ１内のファイルによって管理されているキーフィル信号用の素材から記録するように、ＶＴＲ３０への素材の記録順序を決定する（ステップＳ５３）。
【０１３３】
続いて、操作卓２１のマイクロコンピュータ２４が、ＶＴＲ３３に記録開始コマンドを送り（ステップＳ５４）、ＶＴＲ３３がリファレンス信号Ｒｅｆに同期しているか否かを示す同期状態の情報Ｌｃを受信して（ステップＳ５５）、この情報Ｌｃは同期していることを示すものであるか否かを判断する（ステップＳ５６）。ノーであれば、ステップＳ５５に戻ってステップＳ５５及びＳ５６を繰り返す。
【０１３４】
ステップＳ５６でイエスになると、主ユニット１のマイクロコンピュータ１０が、メモリコントローラ７を制御して、素材ディレクトリＤ１内のファイルに対応するキーフィル信号用の素材の先頭フレームから最終フレームを、１フレーム期間毎に画像メモリ６から順次読み出させる。また、クロスポイント部３を制御して、メモリコントローラ７からクロスポイント部３に再入力される画像データを、ＳＤＩ出力回路１１からＶＴＲ３３に出力させる（ステップＳ５７）。
【０１３５】
このステップＳ５７では、より具体的には、マイクロコンピュータ１０は、素材ディレクトリＤ１内の各フレーム管理情報ファイルから、ファイル名の接頭辞の後尾のフレーム番号が若いフレーム管理情報ファイルの順にレジスタ番号を取得する。そして、メモリコントローラ７を制御して、画像メモリ６の区分領域（図２）のうち、取得した各レジスタ番号の区分領域に記憶されている画像データを、順次読み出させる。（後出のステップＳ５９や図１５のステップＳ６６等での読み出しも同様である。）
【０１３６】
このキーフィル信号用の素材の読み出しが完了すると、続いて、マイクロコンピュータ１０が、一定のフレーム数（例えばＶＴＲ３３の再生動作時のプリロール時間（通常ＶＴＲでは５秒前後）に相当するフレーム数）分の期間に亘り、マイクロコンピュータ１０内で黒画像（別の例として、黒以外の単色の画像であってもよい）の画像データを生成して、この黒画像データをデータＩ／Ｆ９，メモリコントローラ７，クロスポイント部３を介してＳＤＩ出力回路１１からＶＴＲ３３に出力させる（ステップＳ５８）。あるいは、メモリコントローラ７の内部に画像発生回路を設け、そこで単色の画像（あるいは複数の色が組み合わさった画像）を生成し、出力するようにしても良い。
【０１３７】
そして、その後、マイクロコンピュータ１０が、メモリコントローラ７を制御して、素材ディレクトリＤ２内のファイルに対応するキーフィル信号用の素材の先頭フレームから最終フレームを、１フレーム期間毎に画像メモリ６から順次読み出させる。（クロスポイント部３は先ほど制御されているので）メモリコントローラ７からクロスポイント部３に再入力される画像データを、ＳＤＩ出力回路１１からＶＴＲ３３に出力させる（ステップＳ５９）。
【０１３８】
このキーソース信号用の素材の読み出しが完了すると、操作卓２１のマイクロコンピュータ２４がＶＴＲ３３に記録停止コマンドを送って（ステップＳ６０）、処理を終了する。
【０１３９】
操作者が図１２の状態の素材選択用ＧＵＩ画面でＣｌｉｐ０１を選択すると、こうしたＶＴＲ対記録処理が実行されることにより、素材ディレクトリＤ１，Ｄ２内のファイル（図８）によって管理されているキーフィル信号用の素材，キーソース信号用の素材が、画像メモリ６から一方ずつ順番に読み出されて、ＶＴＲ３３に記録される。
【０１４０】
このようにして、対になる２つの素材としてファイルシステムによって管理されているキーフィル信号用の素材，キーソース信号用の素材を、ファイルシステム中のその２つの素材についてのファイルのうちの一方のみ（図１０の素材選択用ＧＵＩ画面のＣｌｉｐ０１）を指定するという簡単な操作により、画像メモリ６から順次読み出してＶＴＲ３３に記録することができる。
【０１４１】
また、図１３のステップＳ５８の処理により、キーフィル信号用の素材とキーソース信号用の素材との間には単色画像の画像データが挿入して記録されるので、ＶＴＲ３３でこのキーフィル信号用の素材及びキーソース信号用の素材を再生した際に、キーフィル信号用の素材とキーソース信号用の素材との境界を容易に視覚的に確認することができる。
【０１４２】
図１４には、素材選択用ＧＵＩ画面の表示内容が、図１２の状態から、表示モード選択欄５３でシングル表示を選択することによって変化した状態を示している。
【０１４３】
この状態では、アイコン列挙領域５１には、ディレクトリ“ ／Ｄｉｒ１”（図８，図９）の下に作成されている素材ディレクトリＤ１内のキーフィル信号用の素材についての素材管理情報ファイルＣｌｉｐ０１のアイコン６１と、同じくディレクトリ“ ／Ｄｉｒ１”の下に作成されている素材ディレクトリＤ２内のキーソース信号用の素材についての素材管理情報ファイルＣｌｉｐ０２のアイコン６２との両方が表示されている。
【０１４４】
この状態で、カーソル（図１４では図示を省略している）でアイコン列挙領域５１内のアイコン６１，６２のうちの任意の一方または両方を指定し、その後カーソルで選択釦５５をクリックする（あるいは、アイコン列挙領域５１に表示されている全てのファイルを選択したい場合には、アイコン列挙領域５１内でアイコンを選択することなく選択釦５５をクリックする）と、主ユニット１のマイクロコンピュータ１０と操作卓２１のマイクロコンピュータ２４とが、制御通信系１２及び２５を介して画像データのフィールド単位の精度（例えばＮＴＳＣの場合には約１／６０秒の精度）で通信を行いつつ、ＶＴＲ記録処理を協同して実行する。
【０１４５】
但し、このＶＴＲ記録処理は、後出の中間画像指定処理を事前に行っている場合と行っていない場合とで、内容が相違する。最初に、中間画像指定処理を行っていない場合のＶＴＲ記録処理を、図１のＶＴＲ３３に素材を記録する場合を例にとって説明する。
【０１４６】
図１５は、中間画像指定処理を行っていない場合のＶＴＲ記録処理を示すフローチャートであり、各ステップ番号の後に、主ユニット１のマイクロコンピュータ１０，操作卓２１のマイクロコンピュータ２４のいずれによる処理であるかを区別するために「主ユニット」，「操作卓」の語を付している。
【０１４７】
この処理では、最初に、主ユニット１のマイクロコンピュータ１０が、素材選択用ＧＵＩ画面での素材の選択結果を取得する。なお、図１４の状態では、選択されるのは最大で素材ディレクトリＤ１内のファイルＣｌｉｐ０１と素材ディレクトリＤ２内のファイルＣｌｉｐ０２との２つであるが、ここでは、選択されたファイルをＤ１〜Ｄｎというｎ個（ｎは１以上の整数）の素材ディレクトリとして表現する（ステップＳ６１）。
【０１４８】
続いて、操作卓２１のマイクロコンピュータ２４が、ＶＴＲ３３に記録開始コマンドを送り（ステップＳ６２）、ＶＴＲ３３がリファレンス信号Ｒｅｆに同期しているか否かを示す同期状態の情報Ｌｃを受信して（ステップＳ６３）、この情報Ｌｃは同期していることを示すものであるか否かを判断する（ステップＳ６４）。ノーであれば、ステップＳ６３に戻ってステップＳ６３及びＳ６４を繰り返す。
【０１４９】
ステップＳ６４でイエスになると、主ユニット１のマイクロコンピュータ１０が、ｉ＝１に設定する（ステップＳ６５）。そして、マイクロコンピュータ１０が、メモリコントローラ７を制御して、素材ディレクトリＤｉ内のファイルに対応する素材の先頭フレームから最終フレームを、１フレーム期間毎に画像メモリ６から順次読み出させる。また、クロスポイント部３を制御して、メモリコントローラ７からクロスポイント部３に再入力される画像データを、ＳＤＩ出力回路１１からＶＴＲ３３に出力させる（ステップＳ６６）。
【０１５０】
ステップＳ６６での素材の読み出しが完了すると、マイクロコンピュータ１０が、一定のフレーム数（例えばＶＴＲ３３の再生動作時のプリロール時間に相当するフレーム数）分の期間に亘り、マイクロコンピュータ１０内で黒画像（別の例として、黒以外の単色の画像であってもよい）の画像データを生成して、この黒画像データをデータＩ／Ｆ９，メモリコントローラ７，クロスポイント部３を介してＳＤＩ出力回路１１からＶＴＲ３３に出力させる（ステップＳ６７）。
【０１５１】
そして、その後、マイクロコンピュータ１０が、ｉの値を１つインクリメントし（ステップＳ６８）、ｉ≦ｎであるか否かを判断する（ステップＳ６９）。ノーであれば、ステップＳ６６に戻ってステップＳ６６〜Ｓ６９を繰り返す。
【０１５２】
ステップＳ６９でイエスになると、操作卓２１のマイクロコンピュータ２４がＶＴＲ３３に記録停止コマンドを送って（ステップＳ７０）、処理を終了する。
【０１５３】
次に、中間画像指定処理と、事前に中間画像指定処理を行っている場合のＶＴＲ記録処理とを説明する。
【０１５４】
図１６には、図９（ａ）または図９（ｂ）のように画面表示されたファイルシステムからディレクトリ“ ／Ｄｉｒ３”を指定した場合であって、表示対象選択欄５２でフレーム画を選択し、表示モード選択欄５３でシングル表示を選択した状態の表示部２３での素材選択用ＧＵＩ画面の表示内容を示している。
【０１５５】
この状態では、アイコン列挙領域５１には、ディレクトリ“ ／Ｄｉｒ３”の下に記憶されている単独のフレームの画像データについてのフレーム管理情報ファイルｐｉｃｔ３（図８，図９）のアイコン６３が表示されている。
【０１５６】
この状態で、カーソル（図１６では図示を省略している）でアイコン６３を指定し、その後カーソルで選択釦５５をクリックすると、主ユニット１のマイクロコンピュータ１０は、図１７に示すような中間画像指定処理を実行する。
【０１５７】
この処理では、最初に、素材選択用ＧＵＩ画面での素材の選択結果（ここでは、ディレクトリ“ ／Ｄｉｒ３”の下のフレーム管理情報ファイルｐｉｃｔ３が選択されたこと）を取得する（ステップＳ７１）。
【０１５８】
続いて、この選択されたファイルについてのディレクトリ及びファイル名（ここでは、ディレクトリ“ ／Ｄｉｒ３”及びファイル名ｐｉｃｔ３）を、中間画像指定メモリ（例えばマイクロコンピュータ１０内のＲＡＭに中間画像指定用に確保した領域）に記憶する（ステップＳ７２）。そして処理を終了する。
【０１５９】
図１８は、この中間画像指定処理を事前に行った場合のＶＴＲ記録処理を示すフローチャートであり、図１５のＶＴＲ記録処理と同じ処理内容のステップには同じステップ番号を付して重複説明を省略する。
【０１６０】
このＶＴＲ記録処理では、主ユニット１のマイクロコンピュータ１０が、ステップＳ６６の後、中間画像指定メモリからディレクトリ及びファイル名（図１７では、ディレクトリ“ ／Ｄｉｒ３”及びファイル名ｐｉｃｔ３）を読み出す。そして、メモリコントローラ７を制御して、そのディレクトリ及びファイル名のファイルに対応する画像データを、一定のフレーム数（例えばＶＴＲ３３の再生動作時のプリロール時間に相当するフレーム数）分の期間に亘り、画像メモリ６から繰り返し読み出させる（ステップＳ８１）。そしてステップＳ６８に進む。
【０１６１】
操作者が図１４の状態の素材選択用ＧＵＩ画面で読み出し対象の素材を選択すると、図１５または図１８のＶＴＲ記録処理が実行されることにより、選択した素材が画像メモリ６から順番に読み出されて、ＶＴＲ３３に記録される。
【０１６２】
このようにして、対になる２つの素材としてファイルシステムによって管理されているキーフィル信号用の素材，キーソース信号用の素材のうちの任意の一方または両方（また、図８の例ではディレクトリ“ ／Ｄｉｒ１”内で対になる２つの素材として管理されているキーフィル信号用の素材及びキーソース信号用の素材は１組だけであるが、同じディレクトリ内で複数組が対になる２つの素材として管理されている場合には、各々の組についての一方または両方の素材）を、見かけ上、ファイルシステム中のそれらの素材についてのファイルを素材選択用ＧＵＩ画面で指定するという簡単な操作により、画像メモリ６から順次読み出してＶＴＲ３３に記録することができる。
【０１６３】
また、図１５のステップＳ６７や図１８のステップＳ８１の処理により、各素材の間には単色画像の画像データまたは操作者が指定した画像データが挿入して記録されるので、ＶＴＲ３３で各素材を再生した際に、各素材の境界を容易に視覚的に確認することができる。
【０１６４】
なお、図１５のステップＳ６７や図１８のステップＳ８１において、フレーム期間の補助データ（Ancillary Data）のタイミングで、ＶＴＲ３３に記録する各素材についてのファイル管理情報ファイル中のヘッダ情報や素材管理情報ファイル中の属性情報（図８）を、マイクロコンピュータ１０内のＲＡＭから読み出してデータＩ／Ｆ９を介してメモリコントローラ７に供給して、メモリコントローラ７からクロスポイント部３に再入力させることにより、ＶＴＲ３３に補助データとして記録させるようにしてもよい。また、このヘッダ情報や属性情報が１フレーム分の補助データのサイズを超えている場合には、複数フレーム期間の補助データのタイミングに亘って分割してメモリコントローラ７に供給してＶＴＲ３３に記録させるようにしてもよい。
【０１６５】
あるいはまた、図１には示していないが、エフェクト・スイッチャーにハードディスクドライブやメモリカードリーダ／ライタ等を外付けし、ＶＴＲ３３に記録した各素材についてのファイル管理情報ファイル中のヘッダ情報や素材管理情報ファイル中の属性情報や、ＶＴＲ３３に記録した素材のタイムコード情報（開始点と終点／長さ）を、このハードディスクドライブやメモリカードリーダ／ライタ等で記録させるようにしてもよい。
【０１６６】
また、図１１や図１３や図１５や図１８の処理の実行時に、操作卓２１の操作部２２の操作により、画像メモリ６から読み出された素材を表示部２３に画像表示させる（マイクロコンピュータ１０が、画像メモリ６から読み出させた各フレームの画像データを、メモリコントローラ７からデータＩ／Ｆ９を介して受け取った後、制御通信系１２及び２５を介して操作卓２１のマイクロコンピュータ２４に送信し、マイクロコンピュータ２４がその画像データを表示部２３に表示させる）ようにしてもよい。その場合には、制御通信系１２としてイーサネット（登録商標）・ポートを用いることが望ましいが、制御通信系１２としてＲＳ４２２ポートを用いる場合にも、ＲＳ４２２ポートを介して画像データを送信するようにしてよい。マイクロコンピュータ１０からマイクロコンピュータ２４への画像データの送信は、上記各処理の実行時ではなく、事前に送信しておき、マイクロコンピュータ２４のメモリなどに蓄積しておいても良い。ファイル名などで、どの画が出力されているかを特定し、この情報をマイクロコンピュータ１０からマイクロコンピュータ２４に送れば、蓄積している画像データを使って表示できる。
【０１６７】
〔ネットワーク経由でのアクセス〕
図１に示した主ユニット１のネットワークＩ／Ｆ１３は、イーサネット（登録商標）・ポートであり、マイクロコンピュータ１０をネットワーク３１に接続する。
【０１６８】
マイクロコンピュータ１０は、ＦＴＰサーバー・ソフトウェアを動作させることにより、マイクロコンピュータ１０内のＲＡＭに構築したファイルシステムを、このネットワークＩ／Ｆ１３を介してネットワーク３１上に公開する。このネットワーク３１に接続されているパーソナルコンピュータ３２（図１）は、ＦＴＰクライアント・ソフトウェアを動作させることにより、このファイルシステムを図９の例と同様に画面表示させ、このファイルシステムのディレクトリを指定して、ファイルの読み書きを行うことができる。
【０１６９】
マイクロコンピュータ１０がファイルシステムを管理するために動作させるファイルシステム管理ソフトウェアは、ＦＴＰサーバー・ソフトウェアからの呼び出しを受けて、ディレクトリ情報を返したり、指定されたファイルへのアクセスを行う。このファイルシステム管理ソフトウェアは、図８に示したファイルシステムへ単純にアクセスするのではなく、このファイルシステムの内容を使って、画像メモリ６内の画像データがあたかもこのファイルシステム自体に記憶されているかのように、ＦＴＰサーバー・ソフトウェアに応答する。
【０１７０】
具体的には、ファイルシステム管理ソフトウェアは、例えば図８の例のファイルシステムのルートディレクトリの直下の”ｆｉｌｅ１”という名前のファイルを指定してリード（読み取り）・アクセス要求があると、図１９に示すように、図８のファイルシステムにおいて”ｆｉｌｅ１”という名前のファイルからヘッダ情報を読み出し、そのヘッダ情報に、全ての画像データに共通の情報（例えば、エフェクト・スイッチャーの機器ＩＤや、エフェクト・スイッチャーの操作者のユーザーＩＤ等）を追加したものを、ＦＴＰサーバー・ソフトウェアに返送するデータのヘッダとして作成する。続いて、このファイルからレジスタ番号である値５を読み出し、この値５に基づき、メモリコントローラ７を制御して、画像メモリ６の区分領域（図２）のうちレジスタ番号５の区分領域に記憶されている画像データ、すなわち、ａ１＋（Ｎｆ×（５−１））番地からのＮｆバイトの画像データを読み出させ、その画像データをデータＩ／Ｆ９を介して受け取る。そして、図１９に示すように、その画像データの先頭に前述のヘッダを付加したものを、ＦＴＰサーバー・ソフトウェアに返送する。
【０１７１】
マイクロコンピュータ１０がファイルシステム管理ソフトウェアでこのような処理を行うことにより、ＦＴＰクライアント・ソフトウェアを動作させるパーソナルコンピュータ３２では、画像データをファイルシステム中のファイルとして扱うことができる。特に多数の画像データを扱う場合、ディレクトリ階層構造でそれらの画像データを管理できるので、操作性が向上する。また、パーソナルコンピュータの操作者はディレクトリ階層構造でファイルを管理することを習慣としていることが多いため、違和感なくこの画像メモリ６内の画像データをファイルとして扱うことができる。
【０１７２】
また、ファイルシステム管理ソフトウェアは、ＦＴＰサーバー・ソフトウェアから、ヘッダ情報（画像フォーマットやファイル形式の情報等）を付加した画像データのファイルが送られ、ネットワーク３１上に公開したファイルシステムのディレクトリを指定してライト（書き込み）・アクセス要求があると、マイクロコンピュータ１０内のＲＡＭに構築したファイルシステムにおいて、そのディレクトリの下にファイルを作成して、そのファイルにヘッダ情報を（必要に応じて情報を取捨選択して）記憶する。そして、〔画像メモリ６の使い方〕欄において説明した線形リストからレジスタ番号を取得し、生成したファイルにそのレジスタ番号を記憶して、画像メモリ６の区分領域（図２）のうちそのレジスタ番号の区分領域に画像データを書き込ませる。
【０１７３】
なお、ライト・アクセス要求があった場合に、ＦＴＰサーバー・ソフトウェアから受け取った画像データに付加されているヘッダ情報の内容等がエフェクト・スイッチャー自身の機能または動作状態に対応していない場合は、書き込みを拒否し、ＦＴＰサーバー・ソフトウェアにエラーを通知する。その結果、ＦＴＰクライアント・ソフトウェアにもエラーが通知される。このような場合としては、例えば、ライト・アクセス要求のあった画像データの画像フォーマットが、エフェクト・スイッチャー自身の動作状態と一致しない場合（操作卓２１の操作部２２でのセットアップ操作によりＳＤ−ＳＤＩ規格の画像データを入力させるように設定されている場合に、ＨＤ−ＳＤＩ規格の画像データのライト・アクセス要求があったような場合）や、次に述べるファイル形式変換ルーチンで変換不能なファイル形式の画像データのライト・アクセス要求があった場合が挙げられる。
【０１７４】
上述のようなリード・アクセス要求やライト・アクセス要求に基づいてエフェクト・スイッチャーとパーソナルコンピュータ３２との間でネットワーク３１経由で画像データを送受信する際の画像データのファイル形式が、画像メモリ６に書き込ませる際の画像データのファイル形式と同じであれば、画像メモリ６から読み出させた画像データをそのままネットワーク３１経由でパーソナルコンピュータ３２に送信したり、パーソナルコンピュータ３２からネットワーク３１経由で受信した画像データをそのまま画像メモリ６に書き込ませることができる。しかし、画像メモリ６に書き込ませる際のファイル形式は、直ちにＳＤＩ信号として出力可能なように非圧縮のファイル形式が望ましいのに対し、ネットワーク３１経由で送受信する際のファイル形式は、サイズを小さくして高速に送受信を行えるように圧縮したファイル形式（例えばＪＰＥＧ等）が望ましい。そこで、マイクロコンピュータ１０は、ファイル形式変換ルーチンにより、画像データのファイル形式を変換する。
【０１７５】
すなわち、リード・アクセス要求があった場合には、マイクロコンピュータ１０は、指定されたファイルの名前の末尾に付加された拡張子等から、要求されるファイル形式を判断し、画像メモリ６から読み出させた画像データをそのファイル形式に変換した後、図６に示したようにヘッダを付加して送信する。
【０１７６】
また、ライト・アクセス要求があった場合には、マイクロコンピュータ１０は、受け取った画像データのファイル形式をヘッダ情報または画像データの名称の一部から判断する。そして、そのファイル形式を画像メモリ６に書き込ませる際のファイル形式に変換するルーチンが存在すれば、ファイル形式を変換した後、画像メモリ６に書き込ませる。他方、そうしたルーチンが存在しない（画像メモリ６に書き込ませる際のファイル形式に変換できない）場合には、エラーを通知する。
【０１７７】
図２０，図２１は、以上に説明したネットワーク３１経由でのリード・アクセス要求，ライト・アクセス要求に基づくマイクロコンピュータ１０の処理を、それぞれフローチャートとしてまとめた図である。
【０１７８】
図２０に示すように、ネットワーク３１経由でリード・アクセス要求があると、マイクロコンピュータ１０内のＲＡＭに構築したファイルシステムに、指定されたディレクトリ及び指定されたファイルが存在するか否かを判断する（ステップＳ１０１）。
【０１７９】
存在していれば、マイクロコンピュータ１０内のＲＡＭに構築したファイルシステムにおいて、指定されたディレクトリの指定されたファイルからヘッダ情報を読み取り、そのヘッダ情報に、全ての画像データに共通の情報（前述のように、エフェクト・スイッチャーの機器ＩＤや、エフェクト・スイッチャーの操作者のユーザーＩＤ等）を追加したものを、ＦＴＰサーバー・ソフトウェアに返送するデータのヘッダとして作成する（ステップＳ１０２）。
【０１８０】
続いて、その指定されたファイルからレジスタ番号ｉを取得し（ステップＳ１０３）、メモリコントローラ７を制御して、画像メモリ６のｉ番目の区分領域すなわちａ１＋（Ｎｆ×（ｉ−１））番地からＮｆバイト分の領域（図２）から画像データを読み出させ、データＩ／Ｆ９を介してその画像データを受け取る（ステップＳ１０４）。続いて、指定されたファイルの名前の末尾に付加された拡張子等から、要求されるファイル形式を判別して、ファイル形式の変換の必要があれば、画像データのファイル形式を変換する（ステップＳ１０５）。そして、その画像データの先頭に、ステップＳ１０２で作成したヘッダを付加して、返送する（ステップＳ１０６）。そして処理を終了する。
【０１８１】
ステップＳ１０１で、指定されたディレクトリ及び指定されたファイルが存在しなかった場合は、エラーを通知して（ステップＳ１０７）、処理を終了する。
【０１８２】
図２１に示すように、ネットワーク３１経由でライト・アクセス要求があると、マイクロコンピュータ１０内のＲＡＭに構築したファイルシステムに、指定されたディレクトリが存在するか否かを判断する（ステップＳ１１１）。
【０１８３】
存在していれば、受け取った画像データのファイルのヘッダ情報等を確認して、その画像データの画像フォーマットやファイル形式等がエフェクト・スイッチャー自身の機能または動作状態に対応しているか否かを判断する（ステップＳ１１２）。
【０１８４】
対応していれば、マイクロコンピュータ１０内のＲＡＭに構築したファイルシステムにおいて、指定されたディレクトリの下にファイルを生成し、そのファイルにヘッダ情報を記憶する（ステップＳ１１３）。また、前述の線形リストからレジスタ番号ｉを取得し、生成したファイルにそのレジスタ番号を記憶する（ステップＳ１１４）。なお、ヘッダ情報は、必要に応じて、フレーム管理情報ファイル（図８）のヘッダ情報と形式や情報の種類を合わせるように加工する。
【０１８５】
続いて、ステップＳ１１２でのヘッダ情報等を確認した結果、画像データのファイル形式を変換する必要がある場合にはファイル形式を変換して（ステップＳ１１５）、画像メモリ６のｉ番目の区分領域すなわちａ１＋（Ｎｆ×（ｉ−１））番地からＮｆバイト分の領域（図２）に画像データを書き込ませる（ステップＳ１１６）。そして処理を終了する。
【０１８６】
ステップＳ１１１で、指定されたディレクトリが存在しなかった場合や、ステップＳ１１２で、画像フォーマットやファイル形式等が対応していなかった場合は、エラーを通知して（ステップＳ１１７）、処理を終了する。
【０１８７】
図８の例におけるルートディレクトリの直下の単独のフレームの画像データについてのフレーム管理情報ファイル（ファイル名ｆｉｌｅ１）やディレクトリ“ ／Ｄｉｒ１／Ｄｉｒ３”の下の単独のフレームの画像データについてのフレーム管理情報ファイル（ファイル名ｐｉｃｔ３）は、ネットワーク３１経由でのライト・アクセス要求に基づいて図２１の処理によって作成されたファイルを示したものである。ＳＤＩ入力回路２に入力される画像データについても、操作卓２１からの操作により、単独のフレームの画像データとして画像メモリ６に記憶させて、このフレーム管理情報ファイルｆｉｌｅ１，ｐｉｃｔ３のようなファイルで管理してももちろん構わない。
【０１８８】
なお、図２０に示した処理は、ネットワーク経由でのリード・アクセス要求に基づいて
単独のフレームの画像データを返送するものである。しかし、ネットワーク３１に接続されているパーソナルコンピュータ３２からも、操作卓２１における素材選択用ＧＵＩ画面での操作と同様に、対になっている２つの素材（キーフィル信号用の素材及びキーソース信号用の素材）のうちの一方のみを指定することによってその両方をエフェクト・スイッチャーから取得可能にすることが一層望ましい。
【０１８９】
そのためには、例えば、パーソナルコンピュータ３２にインストールするソフトウェアとして、ファイルシステムの表示に先立ち、各素材についての素材管理情報ファイルを全て取得し、それらの内容を解析して対になっている素材を対応付けて、その対応付けの結果と各素材に属するフレーム管理情報ファイル（画像データ）をファイルシステムの表示に反映させたり、その対応付けの結果に基づき、対になっている２つの素材のうちの一方のみを指定することによってその両方を選択可能にする画面（例えば、操作卓２１で表示される素材選択用ＧＵＩ画面と同様な画面）を表示させるソフトウェアを採用すればよい。
【０１９０】
こうしたソフトウェアによる表示画面の操作によって、対になっている２つの素材の両方が取得対象となった場合には、パーソナルコンピュータ３２からは、一方ずつの素材に属するファイル（画像データ）についてのリード・アクセス要求を順に行えばよい。
【０１９１】
〔変更例〕
以上の実施の形態では、図２に示したように、画像メモリ６を番地順に一定のバイト数Ｎｆずつの複数の区分領域に分割して、各区分領域に１フレーム分ずつの画像データを書き込ませ、この区分領域の番号であるレジスタ番号を、画像メモリ６における画像データの記憶位置情報として、図８に示したようにファイルシステムにファイルとして記憶している。しかし、画像メモリ６における画像データの記憶位置情報として、こうしたレジスタ番号以外の情報（例えば画像メモリ６の番地そのもの）を、ファイルシステムにファイルとして記憶するようにしてもよい。
【０１９２】
また、以上の実施の形態では、主ユニット１のマイクロコンピュータ１０と操作卓２１のマイクロコンピュータ２４とが、制御通信系１２及び２５を介して通信を行いつつ、協同して図３のＶＴＲ再生制御・画像記憶・ファイル登録処理や図１３のＶＴＲ対記録処理や図１５，図１８のＶＴＲ記録処理を実行している。しかし、主ユニットに操作卓が一体化されているようなエフェクト・スイッチャーの場合には、主ユニットのマイクロコンピュータに単独でこれらの処理を実行させるようにすればよい。あるいは、逆に、３つ以上のマイクロコンピュータを配置し、それらのマイクロコンピュータに処理を分担させることによって協同してＶＴＲ制御・画像記憶・ファイル登録処理を実行させるようにしてもよい。
［処理の補足・変形例］
図５の素材分割処理の説明では、ビデオテープに、キーフィル信号として用いる複数フレーム分の画像データと、キーソース信号として用いる複数フレーム分の画像データとが、切れ目なく連続して記録されているとしていた。しかし、両者の間に無関係な画像データ（複数フレーム）が入っていても、この処理はそのまま適用できる。図７ではAの終わりがBの先頭となる場合であるが、Aの終わりに無関係な画像データが入っていても、Bの先頭で分割を行えば、図７（ｃ）で出来る対の素材は、先頭の揃った対となり、素材を再生する長さを指定して末尾の無関係な部分を除外すれば、所望の出力が得られる。
【０１９３】
また、以上の例では、ファイルシステムを持つ領域について、マイクロコンピュータ１０内のメモリ（ＲＡＭ）と記述してきたが、これはマイクロコンピュータ中のＣＰＵが、要求される応答時間内にアクセス可能な記憶媒体であれば良い。したがって、物理的なメモリの所在位置やメモリの種類とは無関係である。
【０１９４】
また、通信について、「受信」と記述した動作について、受動的に受信待ちして受けるのみでなく、要求を送信し、それによる返信を受け取る動作としても良い。例えばタイムコードを受信する場合は、毎フレームにタイムコードの要求コマンドを送信し、その返信を毎フレーム受けても良い。
【０１９５】
また、動作タイミングについては、以上に記載した流れに完全に一致する必要はなく、例えば、フロー中でＴｃ＋１で比較している箇所についてＴｃ＋２で比較するように変更し、その後の制御に１フレームの余裕を持たせ、マイクロコンピュータ間の通信や関連する処理の時間に充てるなどの変形が可能である。
【０１９６】
また、画像データをメモリに書き込む際、該当フレームが入力される前に記憶を指示する方法と、入力された後、そのフレームが終わる前に記憶を指示する方法がある。後者は、書き込みに指定したメモリ領域に、繰り返し、入力されるフレーム画を書き込み続けておき、記憶の指示を受けたら次のフレームの書き込みを行わず、フレームの最後で書き込みを停止することで、実現できる。これは、制御のタイミングの取り方によっては有効な方法である。
【０１９７】
また、以上の実施の形態では、エフェクト・スイッチャーに配置される画像記憶再生部に本発明を適用しているが、これに限らず、エフェクト・スイッチャー以外のスタジオ回路に配置される画像記憶再生部や、スタジオ回路以外の画像記憶再生装置にも本発明を適用してよい。
【図面の簡単な説明】
【０１９８】
【図１】本発明を適用したエフェクト・スイッチャーの全体構成例を示すブロック図である。
【図２】図１の画像メモリ６の使い方を示す図である。
【図３】ＶＴＲ再生制御・画像記憶・ファイル登録処理を示すフローチャートである。
【図４】素材記憶処理を示すフローチャートである。
【図５】素材分割処理を示すフローチャートである。
【図６】対素材化処理を示すフローチャートである。
【図７】素材分割・対素材化処理の内容を概念的に示す図である。
【図８】主ユニットのマイクロコンピュータ内のＲＡＭに構築されたファイルシステムの内容を例示する図である。
【図９】操作卓の表示部でのファイルシステムの表示例を示す図である。
【図１０】操作卓の表示部に表示される素材選択用のＧＵＩ画面を示す図である。
【図１１】対素材同時読み出し処理を示すフローチャートである。
【図１２】素材選択用ＧＵＩ画面の表示内容を例示する図である。
【図１３】ＶＴＲ対記録処理を示すフローチャートである。
【図１４】素材選択用ＧＵＩ画面の表示内容を例示する図である。
【図１５】中間画像指定処理を行っていない場合のＶＴＲ記録処理を示すフローチャートである。
【図１６】素材選択用ＧＵＩ画面の表示内容を例示する図である。
【図１７】中間画像指定処理を示すフローチャートである。
【図１８】中間画像指定処理を行った場合のＶＴＲ記録処理を示すフローチャートである。
【図１９】ネットワーク経由でのリード・アクセス要求に応じてファイルシステム管理ソフトウェアが返送するデータを示す図である。
【図２０】ネットワーク経由でのリード・アクセス要求に基づく主ユニットのマイクロコンピュータの処理を示すフローチャートである。
【図２１】ネットワーク経由でのライト・アクセス要求に基づく主ユニットのマイクロコンピュータの処理を示すフローチャートである。
【符号の説明】
【０１９９】
１  主ユニット、  ２  ＳＤＩ入力回路、  ３  クロスポイント部、  ４  キー加工回路、  ５  合成回路、  ６  画像メモリ、  ７  メモリコントローラ、  ８  制御Ｉ／Ｆ、  ９  データＩ／Ｆ、  １０    マイクロコンピュータ、  １１  ＳＤＩ出力回路、  １２  制御通信系、  １３  ネットワークＩ／Ｆ、  ２１  操作卓、  ２２  操作部、  ２３  表示部、  ２４  マイクロコンピュータ、  ２５，２６，２７  制御通信系、  ３０  ＶＴＲ、  ３１  ネットワーク、  ３２  パーソナルコンピュータ、  ３３  ＶＴＲ、  ３４  モニター
【図１】
2009005003.tif 000003
【図２】
2009005003.tif 000004
【図３】
2009005003.tif 000005
【図４】
2009005003.tif 000006
【図５】
2009005003.tif 000007
【図６】
2009005003.tif 000008
【図７】
2009005003.tif 000009
【図８】
2009005003.tif 000010
【図９】
2009005003.tif 000011
【図１０】
2009005003.tif 000012
【図１１】
2009005003.tif 000013
【図１２】
2009005003.tif 000014
【図１３】
2009005003.tif 000015
【図１４】
2009005003.tif 000016
【図１５】
2009005003.tif 000017
【図１６】
2009005003.tif 000018
【図１７】
2009005003.tif 000019
【図１８】
2009005003.tif 000020
【図１９】
2009005003.tif 000021
【図２０】
2009005003.tif 000022
【図２１】
2009005003.tif 000023